【手続補正書】
【提出日】平成31年3月1日(2019.3.1)
【手続補正１】
【補正対象書類名】特許請求の範囲
【補正対象項目名】全文
【補正方法】変更
【補正の内容】
【特許請求の範囲】
【請求項１】
上面と下面を有する一次回転マスを有し、少なくとも１つのシャフトに接続された、エネルギーを貯蔵するロータと、
前記ロータに連結されるシャフトと、前記ロータの前記１次回転マスは、前記シャフトの中心軸の周りを回転し、
上部プレート及び下部プレートと、側壁とを含み、前記ロータを収容するハウジングと、前記ハウジングは、前記シャフトの中心軸に揃えられた孔が形成され、
前記ロータの前記中心軸に揃えられた前記孔に実質的に埋め込まれる軸受ハウジングと、前記軸受ハウジングは、前記シャフトに連結された軸受を含み、
前記フライホイールのアセンブリの搬送中の前記ロータの動きを防ぐために、前記フライホイールのアセンブリの搬送中、前記ロータの前記一次回転マスの前記下面に物理的に接触するように構成されている複数のポストと、前記複数のポストは、前記ハウジングに固定するように取り付けられ、
前記１次回転マスを前記中心軸の周りに回転可能にする前記複数のポストから前記ロータが離れて上昇させるように、前記複数のポスト上で前記ロータを載置する搬送位置から、設置中に、前記軸受ハウジングを持ち上げるように構成されるリフト機構と、を備えるフライホイール装置。
【請求項２】
請求項１に記載のフライホイール装置において、
前記一次回転マスは、中心回転軸から極軸に沿って離れて外側に向かって広がるフライホイール装置。
【請求項３】
請求項１に記載のフライホイール装置において、
前記ロータに接続される前記シャフトは、スタブシャフトであり、前記ロータは、前記スタブシャフトに連結するジャーナルを有するフライホイール装置。
【請求項４】
請求項１に記載のフライホイール装置において、
前記フライホイールのアセンブリの搬送中の前記ロータの動きを防ぐために、前記フライホイールのアセンブリの搬送中、前記ロータの前記上面を物理的に接触するように構成される第２の複数のポストをさらに備え、
前記第２の複数のポストは、前記１次回転マスを前記中心軸の周りに回転可能に、設置中、上昇させる、又は取り外されるように構成されるフライホイール装置。
【請求項５】
請求項１に記載のフライホイール装置において、
前記複数のポストは、前記下部プレートに取り付けられるフライホイール装置。
【請求項６】
請求項１に記載のフライホイール装置において、
前記リフト機構は、バッキングプラグを含むフライホイール装置。
【請求項７】
請求項１に記載のフライホイール装置において、
前記ハウジングは、前記ハウジング内に真空を生じさせるように密閉封止されるフライホイール装置。
【請求項８】
請求項１に記載のフライホイール装置において、
前記ロータは、強磁性材料で作成され、
前記プレートのうちの１つに取り付けられ、前記軸受にかかる前記ロータの荷重を低減する電磁界を発生する磁気オフローダをさらに備えるフライホイール装置。
【請求項９】
請求項８に記載のフライホイール装置において、
前記磁気オフローダは、前記ハウジングの前記上部プレートに取り付けられるフライホイール装置。
【請求項１０】
請求項１に記載のフライホイール装置において、
前記軸受ハウジングは、前記ロータの下に配置される下方軸受ハウジングであるフライホイール装置。
【請求項１１】
請求項１０に記載のフライホイール装置において、
上方軸受アセンブリをさらに備え、
前記上方軸受アセンブリは、
前記ロータの中心垂直軸に揃えられる前記上部プレートの孔に実質的に埋め込まれる上方軸受ハウジングと、
前記ロータに連結された上部シャフトに連結する上方軸受と、
前記上方軸受の上方において、前記上方軸受を前記上部シャフト上に保持し、前記上方軸受上に載置することにより、前記フライホイール装置の動作中、前記上方軸受に下方へ向かうスラスト荷重を付与する軸受係止キャップと、を備えるフライホイール装置。
【請求項１２】
請求項１１に記載のフライホイール装置において、
前記上方軸受は、アンギュラコンタクト軸受であり、下方方向にかかる力に対抗するように構成されるフライホイール装置。
【請求項１３】
請求項１１に記載のフライホイール装置において、
前記上方軸受アセンブリは、
前記軸受係止キャップの上方において、異常垂直移動の場合に上方へ向かうスラスト荷重を吸収するためのバックアップスラスト軸受と、
前記バックアップスラスト軸受の上方において、前記上方軸受アセンブリの上部を封止するキャップとをさらに備えるフライホイール装置。
【請求項１４】
請求項１に記載のフライホイール装置において、
前記リフト機構は、前記軸受ハウジングにねじ止めされるフライホイール装置。
【手続補正２】
【補正対象書類名】明細書
【補正対象項目名】００１３
【補正方法】変更
【補正の内容】
【００１３】
フライホイール１３０は、ハウジング２０１内にロータ２０５を含む。ハウジング２０１は、下部プレート２２１と、上部プレート２２３と、側壁２２５とを含む。ハウジング２０１は、通常、ロータ２０５を収容するような形状を有し、ロータ２０５が自由に回転できる十分な内部容量を提供する。ハウジング２０１は、円筒形状であってもよいが、その他の形状も可能である。上部プレート２２３及び下部プレート２２１は、各々、中心回転軸２３０に揃えられる少なくとも１つの孔を含む。中心回転軸２３０に揃えられた各孔には、実質的に、軸受ハウジングが埋め込まれる。下方軸受ハウジング２０９は、下方軸受２０７を収容し、上方軸受ハウジング２１７は、上方軸受２１５を収容する。上方軸受アセンブリ２２０とは、上方軸受２１５とともに上方軸受ハウジング２１７をいう。上方軸受アセンブリの代替実施形態については、図７を参照して後で説明する。
【手続補正３】
【補正対象書類名】明細書
【補正対象項目名】００４１
【補正方法】変更
【補正の内容】
【００４１】
当分野の技術者は、本開示を熟読することで、本明細書に開示の原則を通じて、さらに追加の代替構造設計及び機能設計に想到するであろう。従って、特定の実施形態及び適用例について図示及び説明したが、開示の実施形態は、本明細書に開示の精密な構築及び部品に限定される物でない。別記のクレームに規定の要旨及び範囲から逸脱することなく、本明細書に記載の方法及び装置の配置、動作、及び詳細には、当分野の技術者にとって明らかとなる種々の修正、変更、及びバリエーションが加えられてもよい。
以下、参考態様の例を付記する。
１．  一次回転マスを有し、少なくとも１つのシャフトに接続された、エネルギーを貯蔵するロータと、
複数の孔を有して、各々、複数の孔のうちの１つが前記ロータの中心軸に揃えられる上部プレート及び下部プレートと、側壁とを含み、前記ロータを収容するハウジングと、
各々、前記ロータの前記中心軸に揃えられた各プレートの前記複数の孔のうちの１つに実質的に埋め込まれ、各々、少なくとも１つのシャフトに連結された軸受を含む、少なくとも１つの軸受ハウジングと、
前記フライホイールのアセンブリの搬送中、前記ロータの動きを防ぐために、前記ロータの前記一次回転マスと物理的に接触する複数のポストと、を備えるフライホイール装置。
２．  １．に記載のフライホイール装置において、
前記一次回転マスは、中心回転軸から極軸に沿って離れて外側に向かって広がるフライホイール装置。
３．  １．に記載のフライホイール装置において、
前記ロータに接続された前記少なくとも１つのシャフトは、各々、スタブシャフトであり、前記ロータの各側方には、対応するスタブシャフトに連結するジャーナルを有するフライホイール装置。
４．  １．に記載のフライホイール装置において、
前記複数のポストは、各々が前記上部プレートの前記孔のうちの１つを貫通する複数の上部ポストを含むフライホイール装置。
５．  １．に記載のフライホイール装置において、
前記複数のポストは、複数の下部ポストを含み、前記下部ポストは、各々、前記下部プレートに取り付けられるフライホイール装置。
６．  ５．に記載のフライホイール装置において、
前記軸受のうちの下方軸受を上昇させるとともに、前記下部ポストから前記ロータをはずして上昇させるために、前記軸受ハウジングのうちの下方軸受ハウジングにねじ止めされたバッキングプラグをさらに備えるフライホイール装置。
７．  １．に記載のフライホイール装置において、
前記ハウジングは、前記ハウジング内に真空を生じさせるように密閉封止されるフライホイール装置。
８．  １．に記載のフライホイール装置において、
前記ロータは、強磁性材料で作成され、
前記プレートのうちの１つに取り付けられ、前記軸受のうちの下方軸受にかかる前記ロータの荷重を低減する電磁界を発生する磁気オフローダをさらに備えるフライホイール装置。
９．  ８．に記載のフライホイール装置において、
前記磁気オフローダは、前記ハウジングの前記上部プレートに取り付けられるフライホイール装置。
１０．  ８．に記載のフライホイール装置において、
前記磁気オフローダは、前記ハウジングの前記下部プレートに取り付けられるフライホイール装置。
１１．  １．に記載のフライホイール装置において、
上方軸受アセンブリをさらに備え、
前記上方軸受アセンブリは、
前記ロータの中心垂直軸に揃えられる前記上部プレートの孔に実質的に埋め込まれる軸受ハウジングと、
前記ロータに連結された上部シャフトに連結する上方軸受と、前記上方軸受は、
前記上方軸受の上方において、前記上方軸受を前記上部シャフト上に保持し、前記上方軸受上に載置することにより、前記フライホイールの動作中、前記上方軸受に下方へ向かうスラスト荷重を付与する軸受係止キャップとを備えるフライホイール装置。
１２．  １１．に記載のフライホイール装置において、
前記上方軸受は、アンギュラコンタクト軸受であり、下方へ向かうスラスト荷重を支持するように構成されるフライホイール装置。
１３．  １１．に記載のフライホイール装置において、
前記上方軸受アセンブリは、
前記軸受係止キャップの上方において、異常垂直移動の場合に上方へ向かうスラスト荷重を吸収するためのバックアップスラスト軸受と、
前記バックアップスラスト軸受の上方において、前記上方軸受アセンブリの上部を封止するキャップとをさらに備えるフライホイール装置。
１４．  フライホイール装置を組み立てる方法であって、
ハウジングの下部プレートに取り付けられる１つ以上のポスト上に、一次回転マスを含むロータを搭載し、
複数の孔を有して、各々、前記ロータの中心軸に揃えられた少なくとも１つの孔を含む上部プレート及び下部プレートと、側壁とを含むハウジングに、前記ロータを収容することを含む方法。
１５．  １４．に記載の方法において、
各前記プレートの前記ロータの前記中心軸に揃えられた前記孔に、軸受ハウジングを取り付けることと、
各前記軸受を前記軸受ハウジングのうちの１つに挿入することをさらに含む方法。
１６．  １４．に記載の方法において、
前記ロータは、強磁性材料で作成され、
前記ハウジングの前記上部プレートに、前記軸受のうちの下方軸受にかかる前記ロータの荷重を低減する磁界を発生する磁気オフローダを取り付けることをさらに含む方法。
１７．  １４．に記載の方法において、
前記ハウジングに前記ロータを収容することは、
前記下部プレートに前記側壁を取り付け、
前記側壁に前記上部プレートを取り付けることを含む方法。
１８．  １４．に記載の方法において、
前記ロータの各側方には、前記ロータの中心軸に沿って延び、各々、各軸受に前記ロータを連結する対応するスタブシャフトに嵌合するように構成されたジャーナルを有し、
各ジャーナルを前記対応するスタブシャフトに挿入することをさらに含む方法。
１９．  フライホイールシステムを設置する方法であって、
前記フライホイールシステムの軸受を上昇させることを含み、
前記フライホイールシステムは、
少なくとも１つのスタブシャフトに接続され、エネルギーを貯蔵するロータと、
前記ロータを収容し、複数の孔を有して、各々、前記ロータの中心軸に揃えられた少なくとも１つの孔を含む上部プレート及び下部プレートと、側壁とを含むハウジングと、
各々、前記ロータの前記中心軸に揃えられた各プレートの前記複数の孔のうちの１つに実質的に埋め込まれ、各々、少なくとも１つのスタブシャフトに連結された軸受を含む、少なくとも１つの軸受ハウジングと、
前記フライホイールシステムの搬送中、前記ロータの動きを防ぐために、前記ロータの前記一次回転マスと物理的に接触し、前記ハウジングの前記下部プレートに取り付けられた複数の下部ポスト、及び前記ハウジングの前記上部プレートに取り付けられた複数の上部ポストを含む複数のポストとを備え、
前記軸受を上昇させることは、
バッキングプラグを前記軸受ハウジングのうちの１つにねじ止めして、前記下部ポストが前記ロータの前記一次回転マスに物理的に接触しないように、前記ロータを前記下部ポストから離れるように上昇させ、
前記上部ポストを前記ロータの前記一次回転マスから取り外すことを含む方法。
【手続補正４】
【補正対象書類名】図面
【補正対象項目名】図２Ａ
【補正方法】変更
【補正の内容】
【図２Ａ】
2018527518.tif 000001
【手続補正５】
【補正対象書類名】図面
【補正対象項目名】図２Ｂ
【補正方法】変更
【補正の内容】
【図２Ｂ】
2018527518.tif 000002
【手続補正６】
【補正対象書類名】図面
【補正対象項目名】図４−２
【補正方法】変更
【補正の内容】
【図４−２】
2018527518.tif 000003
【手続補正７】
【補正対象書類名】図面
【補正対象項目名】図６
【補正方法】変更
【補正の内容】
【図６】
2018527518.tif 000004